(57)【要約】【課題】この発明は、検査機本体内で発生したジャムに対する処理を迅速かつ円滑に行うことができる。【解決手段】この発明は、検査機本体での紙葉類に対する処理中に搬送異常が発生した場合、当該検査機本体内の状態を示す停止情報に基づいてジャムレポートを作成し、そのジャムレポートを元に当該検査機本体内の再処理すべき紙葉類を確認して再投入された後に当該検査機本体の処理を再開するようにしてものである。【選択図】    図１
2005001837.tif 000002
【特許請求の範囲】
【請求項１】
複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を区分集積する複数の集積装置とを有する紙葉類処理装置において、
前記投入部に投入されている紙葉類を前記搬送路により搬送し、前記検知手段にて検知された紙葉類の特徴量から判定される種別ごとに紙葉類を各集積装置に集積する処理手段と、
この処理手段による処理中に前記搬送路による紙葉類の搬送異常が発生した場合、前記処理手段による処理を停止する停止手段と、
この停止手段により前記処理手段による処理を停止した際、当該装置内の状態を報知する報知手段と、
この報知手段により報知された内容に基づいて再処理すべき紙葉類が確認されて前記投入部に再投入された場合、前記処理手段による処理を再開する再開手段と、
を具備することを特徴とする紙葉類処理装置。
【請求項２】
さらに、用紙に情報を印字する印字手段を有し、
前記報知手段は、前記印字手段により用紙に当該装置内の状態を示す情報を印刷することによって当該装置内の状態を報知する、ことを特徴とする前記請求項１に記載の紙葉類処理装置。
【請求項３】
複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を区分集積する複数の集積装置とを有する紙葉類処理装置において、
前記投入部に投入されている紙葉類を前記搬送路により搬送し、前記検知手段にて検知された紙葉類の特徴量から判定される種別ごとに紙葉類を各集積装置に集積する処理手段と、
この処理手段による処理中に前記搬送路による紙葉類の搬送異常が発生した場合、前記処理手段による処理を停止する停止手段と、
この停止手段により前記処理手段による処理を停止した際、当該装置内の再処理すべき紙葉類の数を報知する報知手段と、
この報知手段により報知された数の再処理すべき紙葉類が確認されて前記投入部に再投入された場合、前記処理手段による処理を再開する再開手段と、
を具備することを特徴とする紙葉類処理装置。
【請求項４】
複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を集積し、集積した紙葉類を所定数ごとに施封して収納する複数の集積装置とを有する紙葉類処理装置において、
前記投入部に投入されている紙葉類を前記搬送路により搬送し、前記検知手段にて検知された紙葉類の特徴量から判定される種別ごとに紙葉類を各集積装置に集積する処理手段と、
この処理手段による処理中に前記搬送路による紙葉類の搬送異常が発生した場合、前記処理手段による処理を停止する停止手段と、
この停止手段により前記処理手段による処理を停止した際、各集積装置に集積されている紙葉類の数と前記搬送路上の紙葉類の数とを報知する報知手段と、
この報知手段による報知内容から判断される未施封の紙葉類の数と搬送路上の紙葉類の数とに基づいて数が確認された再処理すべき紙葉類が前記投入部に再投入された場合、前記処理手段による処理を再開する再開手段と、
を具備することを特徴とする紙葉類処理装置。
【請求項５】
複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を区分集積する複数の集積装置と、前記搬送路上の複数箇所に設置され、前記搬送路上の各設置箇所に紙葉類が存在するか否かを検知する複数の検知手段を有する紙葉類処理装置において、
前記投入部に投入されている紙葉類を前記搬送路により搬送し、前記検知手段にて検知された紙葉類の特徴量から判定される種別ごとに紙葉類を各集積装置に集積する処理手段と、
この処理手段による処理中に前記搬送路による紙葉類の搬送異常が発生した場合、前記処理手段による処理を停止する停止手段と、
この停止手段により前記処理手段による処理を停止した際、各検知手段により検知されている前記搬送路上の紙葉類の有無を示す情報を報知する報知手段と、
この報知手段により報知された前記搬送路内に存在する紙葉類が前記投入部に再投入された場合、前記処理手段による処理を再開する再開手段と、
を具備することを特徴とする紙葉類処理装置。
【請求項６】
複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を集積し、集積した紙葉類を所定数ごとに施封して収納する複数の集積装置と、前記搬送路上の複数箇所に設置され、前記搬送路上の各設置箇所に紙葉類が存在するか否かを検知する複数の検知手段を有する紙葉類処理装置において、
前記投入部に投入されている紙葉類を前記搬送路により搬送し、前記検知手段にて検知された紙葉類の特徴量から判定される種別ごとに紙葉類を各集積装置に集積する処理手段と、
この処理手段による処理中に前記搬送路による紙葉類の搬送異常が発生した場合、前記処理手段による処理を停止する停止手段と、
この停止手段により前記処理手段による処理を停止した際、各集積装置に集積されている紙葉類の数と前記搬送路上の紙葉類の数とともに、各検知手段により検知されている前記搬送路上の紙葉類の有無を示す情報を報知する報知手段と、
この報知手段により報知された前記搬送路内に存在する紙葉類の数と未施封の紙葉類の数とが実際に当該装置内から取出された再処理すべき紙葉類の数と一致していることが確認されて前記投入部に再投入された場合、前記処理手段による処理を再開する再開手段と、
を具備することを特徴とする紙葉類処理装置。
【発明の詳細な説明】
【０００１】
【発明の属する技術分野】
この発明は、例えば、銀行券などの紙葉類を検査し、その検査結果に基づいて紙葉類を区分集積する紙葉類処理装置に関する。
【０００２】
【従来の技術】
従来、銀行券の鑑査を行う監査機などの紙葉類処理装置では、銀行券などの紙葉類を検査し、その検査結果に基づいて紙葉類を区分集積する。このような紙葉類処理装置では、処理中に紙葉類のジャムなどによる搬送異常が発生した場合、計数が未確定の紙葉類については、全て持ち帰って再度処理を実行している。このような場合、オペレータは、紙葉類の数をカウントせずに持ち帰った全ての紙葉類を処理している。
【０００３】
上記のような紙葉類処理装置において持ち帰りジャムが発生した場合、オペレータは、持ち帰るべき紙葉類が装置内のどこにあるかが分からないため、当該装置内を全て確認しなければならない。このため、ジャムが発生した場合、オペレータが、装置内から再処理すべき全ての紙葉類を持ち帰って、持ち帰った紙葉類の再処理をするまでに時間がかかってしまうという問題点がある。
【０００４】
また、従来の紙葉類処理装置では、持ち帰りジャムが発生した場合に再処理すべき紙葉類の数をオペレータが分からないようにすることにより、オペレータによる不正を防止している。このため、従来の紙葉類処理装置では、ジャムが発生した場合、再処理すべき紙葉類を装置側がオペレータに報知する手段がない。しかしながら、例えば、再処理すべき紙葉類の数をオペレータが確認した後に再処理を行うことが義務付けられた場合、従来の紙葉類処理装置では、オペレータが再処理すべき紙葉類の数が正しいか否かを確認することができないという問題点がある。
【０００５】
【発明が解決しようとする課題】
上記したように、搬送異常が発生した場合、再処理すべき紙葉類を取出して再処理を開始するまでに時間がかかっているという問題点を解決するもので、搬送異常が発生した場合に装置内のどこに再処理すべき紙葉類が存在するかを容易に認識でき、搬送異常に対する再処理を迅速かつ円滑に行うことを可能とする紙葉類処理装置を提供することを目的とする。
【０００６】
また、オペレータが再処理すべき紙葉類の数が正しいか否かを確認することができないという問題点を解決するもので、搬送異常が発生した場合に装置内の再処理すべき紙葉類の数を容易に認識でき、搬送異常に対する再処理のために再投入すべき紙葉類の数を正確に確認することができる紙葉類処理装置を提供することを目的とする。
【０００７】
【課題を解決するための手段】
この発明の紙葉類処理装置は、複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を区分集積する複数の集積装置とを有するものにおいて、前記投入部に投入されている紙葉類を前記搬送路により搬送し、前記検知手段にて検知された紙葉類の特徴量から判定される種別ごとに紙葉類を各集積装置に集積する処理手段と、この処理手段による処理中に前記搬送路による紙葉類の搬送異常が発生した場合、前記処理手段による処理を停止する停止手段と、この停止手段により前記処理手段による処理を停止した際、当該装置内の状態を報知する報知手段と、この報知手段により報知された内容に基づいて再処理すべき紙葉類が確認されて前記投入部に再投入された場合、前記処理手段による処理を再開する再開手段とを有する。
【０００８】
この発明の紙葉類処理装置は、複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいて判別される種別ごとに紙葉類を区分集積する複数の集積装置とを有するものにおいて、前記投入部に投入されている紙葉類を前記搬送路により搬送し、前記検知手段にて検知された紙葉類の特徴量から判定される種別ごとに紙葉類を各集積装置に集積する処理手段と、この処理手段による処理中に前記搬送路による紙葉類の搬送異常が発生した場合、前記処理手段による処理を停止する停止手段と、この停止手段により前記処理手段による処理を停止した際、当該装置内の再処理すべき紙葉類の数を報知する報知手段と、この報知手段により報知された数の再処理すべき紙葉類が確認されて前記投入部に再投入された場合、前記処理手段による処理を再開する再開手段とを有する。
【０００９】
この発明の紙葉類処理装置は、複数の紙葉類が投入される投入部と、この投入部に投入された紙葉類を１つづつ搬送する搬送路と、この搬送路により搬送される紙葉類の特徴量を検出する検査手段と、この検査手段により検出された特徴量に基づいては別される種別ごとに紙葉類を区分集積する複数の集積装置と、前記搬送路上の複数箇所に設置され、前記搬送路上の各設置箇所に紙葉類が存在するか否かを検知する複数の検知手段を有するものにおいて、前記投入部に投入されている紙葉類を前記搬送路により搬送し、前記検知手段にて検知された紙葉類の特徴量から判定される種別ごとに紙葉類を各集積装置に集積する処理手段と、この処理手段による処理中に前記搬送路による紙葉類の搬送異常が発生した場合、前記処理手段による処理を停止する停止手段と、この停止手段により前記処理手段による処理を停止した際、各検知手段により検知されている前記搬送路上の紙葉類の有無を示す情報を報知する報知手段と、この報知手段により報知された前記搬送路内に存在する紙葉類が前記投入部に再投入された場合、前記処理手段による処理を再開する再開手段とを有する。
【００１０】
【発明の実施の形態】
以下、この発明の実施の形態について図面を参照して説明する。
図１は、この発明の実施の形態に係る紙葉類処理システムの構成例を概略的に示す図である。図１に示すように、紙葉類処理システムは、客先サーバ１にＬＡＮ２を介して接続される複数の検査機３（３ａ、…、３ｎ、…）から構成される。上記検査機３は、制御ユニット１１を有する検査機本体３０、コンピュータ（ＰＣ）１２、及びプリンタ１３などから構成される。上記検査機（紙葉類処理装置）３は、例えば、銀行券などの紙葉類を詳細に検査し、その検査結果に基づいて紙葉類を正券、損券、排除券などの種別ごとに区分する処理などを実行するものである。
【００１１】
上記ＰＣ１２は、図示しないネットワークインターフェースを介して上記ＬＡＮ２に接続されるとともに、上記制御ユニット１１及び上記プリンタ１３に接続されている。上記ＰＣ１２は、制御部、記憶部及びデータ通信部などを有する本体と、報知手段としての表示装置（ディスプレイ）と、操作手段としての操作部（キーボード）とから構成されている。このような構成により、上記ＰＣ１２は、上記検査機本体３０の制御ユニット１１からの紙葉類の処理結果あるいは停止情報（ジャム情報）などを取得し、各処理バッチ毎の計数処理結果、リジェクトデータ、あるいはエラー内容などをログデータとして作成する機能（報知手段）を持っている。このようなログデータは、上記ＰＣ１２内の記憶部に記憶したり、上記ＬＡＮ２を介して上記客先サーバ１へ転送したり、上記プリンタ１３により印刷出力したりすることができるようになっている。
【００１２】
上記プリンタ１３は、上記ＰＣ１２からの印刷指示に基づいて上記ＰＣ１２から供給される情報を用紙に印刷するようになっている。
上記制御ユニット１１は、検査機本体３０内に設けられるものである。上記制御ユニット１１は、メイン制御部２１、サブ制御部２２、メイン検知部２３などを有し、上記検査機本体３０の制御やＰＣ１２とのデータ通信などを行うものである。上記メイン制御部２１は、上記検査機本体３０全体の制御を司るものであり、検査機本体３０での紙葉類に対する処理の実行、停止、再開などの動作を制御する（処理手段、停止手段、再開手段）。
【００１３】
次に、上記検査機本体（紙葉類処理装置）３０について説明する。
図２は、上記検査機本体３０内の構成例を概略的に示す図である。図２に示すように、検査機本体３０は、例えば、サイズが図柄などが異なる複数種類の紙葉類（ここでは、各紙葉類は長方形状であるものとする）が混在する複数の紙葉類が一括して投入され、投入された全ての紙葉類の特徴量を検出し、その検出結果に基づいて各紙葉類の種別を判定し、各紙葉類を種別ごとに分類して集積などの処理を行うものである。
【００１４】
図２に示す構成例では、上記検査機本体３０は、第１モジュール３０Ａと第２モジュール３０Ｂと第３モジュール３０Ｃとから構成されているものとする。上記第１モジュール３０Ａは、主に、オペレータによる操作、紙葉類の取出し、紙葉類に対する監査などを行うものである。上記第２モジュール３０Ｂは、主に、紙葉類の集積及び施封を行うものである。上記第３モジュール３０Ｃは、主に、紙葉類の集積、施封、及び裁断を行うものである。
【００１５】
上記検査機本体３０は、図２に示すように、複数の紙葉類が一括投入される投入部３５が設けられている。この投入部３５は、全ての紙葉類の長手方向に沿った下端辺（一方の長端辺）をステージに当接せしめて整位するとともに、ステージに沿って紙葉類の面方向に図示しないバックアッププレートを移動せしめる。これにより、上記投入部３５内の紙葉類は、取出し部３５ａへ移動する。この取出し部３５ａは、一対の取出しローラにより構成される。この一対の取出しローラが回転すると、ステージ上の紙葉類は、端のものから順に搬送路３６上に取出される。この搬送路３６は、主搬送路３６ａと、その主搬送路３６ａから各ゲートＧ（Ｇ１１、Ｇ２１、Ｇ２２、Ｇ５１、Ｇ５２、Ｇ５３）により分岐される複数の分岐搬送路３６ｂ〜３６ｈとにより構成される。
【００１６】
上記投入部３５直後の主搬送路３６ａ上には、図示しない整列整位部が設けられている。上記整列整位部は、取出し部３５ａにより主搬送路３６ａ上に取出された紙葉類のスキューやシフトに起因した不具合を防止するため、各紙葉類のスキューおよびシフトを補正するものである。さらに、整列整位部直後の主搬送路３６ａ上には、紙葉類の種類、表裏、天地、汚れや破損の有無等の特徴を検出する検査ユニット３７が設けられている。この検査ユニット３７は、光学検知部３７ａなどを含む複数の検査部を有する。この検査ユニット３７内の各検査部は、上記主搬送路３６ａを搬送される紙葉類から各種の情報（複数種類の特徴量）を検出するようになっている。
【００１７】
また、上記検査ユニット３７は、各検査部による検出結果を上記メイン制御部２１へ出力するようになっている。上記メイン制御部２１は、上記検査ユニット３７による検査結果に基づいて紙葉類が正券か損券か排除券かを判別する。さらに、上記メイン制御部２１は、正券と判別した紙葉類をどの集積装置に集積するかを判定するため、上記検査ユニット３７による検査結果に基づいて正券と判別された紙葉類に対して種類などを判別するようになっている。
【００１８】
上記検査ユニット３７より下流側の主搬送路３６ａ上には、上記検査ユニット３７における検出結果に基づいて紙葉類の搬送方向を選択的に切換えるための複数のゲートＧ１１、Ｇ２１、Ｇ２２、Ｇ５１、Ｇ５２、Ｇ５３が設けられている。
【００１９】
最も上流側に設けられたゲートＧ１１は、紙葉類の搬送方向を主搬送路３６ａから分岐搬送路３６ｂとしての排除搬送路へ分岐するものである。このゲートＧ１１を介して分岐された分岐搬送路３６ｂの終端には、排除すべき紙葉類を排除集積するためのリジェクト部Ｒｅｊが設けられている。
【００２０】
このリジェクト部Ｒｅｊへ搬送される排除すべき紙葉類とは、上記検査ユニット３７による検査結果により２枚取りが判定された紙葉類及び所定のレベルを超えて大きくスキューしたことが判定された紙葉類などの後段の処理部における処理が不可能であることが判定された紙葉類などである。また、上記検査ユニット３７による検査結果により偽券の可能性があると判定された紙葉類、或は上記検査ユニット３７で特徴量を検出できなかった紙葉類もリジェクト部Ｒｅｊへ排除される。上記リジェクト部Ｒｅｊは、投入部３５の近傍に配置され、外部からのアクセスが可能となっている。
【００２１】
また、上記ゲートＧ１１の下流側の主搬送路３６ａ上には、ゲートＧ２１、Ｇ２２、Ｇ５１、Ｇ５２、Ｇ５３が順に設けられている。上記ゲートＧ２１は、主搬送路３６ａ上を搬送される紙葉類を集積装置Ａ１への分岐搬送路３６ｃの方向へ分岐搬送させるものである。上記ゲートＧ２２は、主搬送路３６ａ上を搬送される紙葉類を集積装置Ａ２への分岐搬送路３６ｄの方向へ分岐搬送させるものである。上記ゲートＧ５１は、主搬送路３６ａ上を搬送される紙葉類を集積装置Ｂ１への分岐搬送路３６ｅの方向へ分岐搬送させるものである。上記ゲートＧ５２は、主搬送路３６ａ上を搬送される紙葉類を集積装置Ｂ２への分岐搬送路３６ｆの方向へ分岐搬送させるものである。また、上記ゲートＧ５３は、主搬送路３６ａ上を搬送される紙葉類を損券集積部Ａｕｄへの分岐搬送路３６ｇ、あるいは裁断処理部ＳＤへの分岐搬送路３６ｈの何れかに選択的に振り分けるものである。
【００２２】
各集積装置Ａ１、Ａ２、Ｂ１、Ｂ２は、それぞれ施封処理部４１、帯収納部４２、及び収納部４３とを有している。上記施封処理部４１には、上記主搬送路３６ａから分岐搬送された紙葉類が所定数に達するまで各紙葉類を順次集積する。上記施封処理部４１は、紙葉類が所定数に達した場合、上記帯収納部４２に収納されている帯を用いて所定数に達した紙葉類を束ねる。この帯により束ねられた所定数の紙葉類を１把する。上記収納部４３は、上記施封処理部４１により１把に束ねられた紙葉類を順次収納するものである。通常、上記収納部４３に収納された段階で当該紙葉類の数が確定する。
【００２３】
また、上記検査ユニット３７にて損券と判定された紙葉類は、主搬送路３６ａ上を搬送されて各ゲートＧ２１、Ｇ２２、Ｇ５１、及びＧ５２を通過し、上記ゲートＧ５３へ至る。上記ゲートＧ５３に至った紙葉類は、上記ゲートＧ５３により選択的に損券集積部Ａｕｄあるいは裁断処理部ＳＤへ搬送される。上記裁断処理部ＳＤは、損券と判定された紙葉類を裁断するものであり、上記損券集積部Ａｕｄは、損券と判定された紙葉類の一部を集積し、集積した紙葉類が損券とすべき券であったか否かを検査するものである。
【００２４】
上記裁断処理部ＳＤは、搬送されてきた紙葉類を全て裁断するものである。これに対して、上記損券集積部Ａｕｄは、搬送されてきた紙葉類が損券として真に処理すべき券（本当に損券として処理すべき汚い紙葉類）であるか否かを検査するものである。例えば、上記損券集積部Ａｕｄへの集積率を１０％とする場合、上記損券集積部Ａｕｄには、１００枚中１０枚の紙葉類が集積される。
【００２５】
また、上記主搬送路３６ａ及び各分岐搬送路３６ｂ〜３６ｈ上には、複数の検知センサＰ（Ｐ１１〜Ｐ１８、Ｐ２１〜Ｐ２４、Ｐ５１〜Ｐ５６、ＳＤ１Ａ、及びＳＤ１Ｂ）が設けられている。各検知センサＰは、搬送路３６上の紙葉類の有無を検知するものである。各検知センサＰの検知出力は、上記メイン検知部２３を介してメイン制御部２１へ供給されるようになっている。従って、上記メイン制御部２１は、上記各検知センサＰからの検知出力に基づいて搬送路３６内の紙葉類の位置を判断したり、検査機本体３０内のジャムなどの搬送異常を判断したりできるようになっている。
【００２６】
さらに、上記検査機本体３０には、上記投入部３５近傍に、表示部としてのディスプレイパネル３８及び操作部としてのオペレーションパネル３９が設けられている。上記ディスプレイパネル３８には、オペレータに対する操作案内、あるいは処理状況などを表示される。また、上記オペレーションパネル３９は、オペレータが操作指示を行うものである。
【００２７】
また、上記検査機本体３０内には、上記制御ユニット１１が設置されている。上記制御ユニット１１は、上記メイン制御部２１、上記サブ制御部２２及び上記メイン検知部２３等を有し、当該検査機本体３０の全体の制御を司るものである。上記制御ユニット１１は、搬送路３６、ゲートＧ、取出し部３５ａ、集積装置Ａ１、Ａ２、Ｂ１、Ｂ２あるいは裁断処理部ＳＤなどの各部の駆動機構（図示しない）に接続され、各部の動作を制御するようになっている。また、上記検知センサＰ、ディスプレイパネル３８、オペレーションパネル３９なども上記制御ユニット１１に接続されている。
【００２８】
次に、上記検査機本体３０内で搬送異常（ジャム）が発生した場合について説明する。
図３は、ジャムが発生した場合に出力されるジャムレポートの印刷例を示すものである。
上記検査機本体３０による処理の実行中に搬送異常（ジャム）が発生したものとする。上記検査機本体３０での処理中にジャムが発生すると、上記メイン制御部２１は、当該検査機本体３０の動作を停止し、停止時の状態を示す情報を収集して停止情報（ジャム情報）を作成する。上記停止情報には、例えば、停止内容を示す停止コード、当該停止コードに対応したメッセージ番号、停止時の各部の状態（各検知センサの検知状態、各ゲートの方向、各集積装置Ａ１、Ａ２、Ｂ１、Ｂ２の集積数、及び裁断処理部ＳＤによる裁断処理数）などが含まれる。
【００２９】
上記停止情報を作成すると、上記メイン制御部２１は、上記ＰＣ１２へ停止情報を送信する。このメイン制御部２１からの停止情報を受信したＰＣ１２は、上記メイン制御部２１から受信した停止情報に基づいて停止した内容（ジャムの内容）を示すジャムレポートの印刷情報を作成し、上記プリンタ１３によりジャムレポートを印刷する。
【００３０】
上記ジャムレポートでは、ジャム発生時（あるいは停止時）に各集積装置（Ａ１、Ａ２、Ｂ１、Ｂ２）に集積されている紙葉類の数、上記損券集積部Ａｕｄに集積されている紙葉類の数、及び裁断処理部ＳＤにより裁断された紙葉類の数が示されている（図３のＳｔａｃｋｅｒ）。各集積装置（Ａ１、Ａ２、Ｂ１、Ｂ２）では、上述のように、紙葉類が所定数（例えば、１００）に達するまで施封処理部４１に集積し、所定数ごとに帯を用いて紙葉類を施封し、施封した紙葉類を上記収納部４３に収納するようになっている。
【００３１】
このため、ジャム発生時に各集積装置（Ａ１、Ａ２、Ｂ１、Ｂ２）に集積されている紙葉類のうち上記施封処理部４１に集積されている所定数に満たない紙葉類が、持ち帰りジャムとしての紙葉類、つまり、再処理（投入部３５に再投入）すべき紙葉類となる。従って、上記ジャムレポートによれば、各集積装置（Ａ１、Ａ２、Ｂ１、Ｂ２）については、集積数−所定数（施封される紙葉類の数）×ｎ（ｎ＝０、１、２、…）が持ち帰りジャムとしての紙葉類（再処理すべき紙葉類）の数である。
【００３２】
また、上記ジャムレポートでは、ジャム発生時の各検知センサＰ（Ｐ１１〜Ｐ１８、Ｐ２１〜Ｐ２４、Ｐ５１〜Ｐ５６、ＳＤ１Ａ、及びＳＤ１Ｂ）の検知状態を「０」または「１」で示している（図３のＳｅｎｓｏｒ）。ここで、「０」は検知センサがオフとなっている状態を示し、「１」は検知センサがオンとなっている状態を示している。例えば、図３に示すジャムレポートでは、検知センサＰ２４のみがオンとなっており、その他の検知センサがオフとなっている。従って、図３のジャムレポートによれば、搬送路３６上において検知センサＰ２４の検知位置に紙葉類が存在していることを示している。
【００３３】
また、上記ジャムレポートでは、ジャム発生時の各ゲートＧの状態も示している（図３のＤｉｖｅｒｔｅｒ）。例えば、図３に示すジャムレポートでは、主搬送路３６ａを搬送される紙葉類を、ゲートＧ１１がリジェクト部Ｒｅｊ、ゲートＧ２１が集積装置Ａ１、ゲートＧ２２が集積装置Ａ２、ゲートＧ５１が集積装置Ｂ１、ゲートＧ５２が集積装置Ｂ２、ゲートＧ５３が損券集積部Ａｕｄに搬送するような方向になっていることを示している。
【００３４】
また、上記ジャムレポートでは、ジャム発生時の停止コードがしめされている（図３のＳｔｏｐ  Ｃｏｄｅ）。例えば、図３に示すジャムレポートでは、ジャムの内容を示す所定の停止コードとともに、当該停止コードが示す停止内容（検出したジャムの内容）を示す情報が示されている。
【００３５】
また、上記ジャムレポートでは、ジャム発生時の停止コードに対応するメッセージが示されている（図３のＭｅｓｓａｇｅ）。例えば、図３に示すジャムレポートでは、当該停止コードに対応するメッセージを示す所定のメッセージ番号とともに、当該メッセージ番号が示すメッセージの内容（操作案内など）を示す情報が示されている。
【００３６】
さらに、上記ジャムレポートが発行された際、当該ジャムによる持ち帰りジャムとしての紙葉類は、各集積装置Ａ１、Ａ２、Ｂ１、Ｂ２の施封処理部４１に集積されている紙葉類と搬送路３６内に残っている紙葉類とである。従って、上記ジャムレポートによれば、各集積装置Ａ１、Ａ２、Ｂ１、Ｂ２の施封処理部４１に集積されている紙葉類の数と搬送路３６内に残っている紙葉類の数とを足し合わせた紙葉類の数が持ち帰りジャムとしての紙葉類（再処理すべき紙葉類）の数となる。例えば、図３に示すジャムレポートによれば、各集積装置Ａ１、Ａ２にて紙葉類を施封する数（所定数）が１００枚であるとすると、持ち帰りジャムとしての紙葉類の数は、（４９７−１００×４）＋（４９１−１００×４）＋１＝１８９となる。
【００３７】
上記のようなジャムレポートによれば、ジャム発生時の当該検査機本体内の状態をオペレータが容易に判別できる。また、上記ジャムレポートでは、各検知センサの検知状態を示しているため、上記検査機本体の搬送路内に残っている紙葉類の位置が容易に判断できる。また、上記ジャムレポートでは、各検知センサの検知状態に加えて、各集積装置及び損券排除部の集積枚数、裁断処理部による裁断した紙葉類の数を示しているため、上記検査機本体の搬送路内に残っている持ち帰りジャムとしての紙葉類の数を容易に確認できる。
【００３８】
次に、上記検査機本体３０においてジャムが発生した場合の動作について説明する。
図４は、上記検査機本体３０による処理中にジャムが発生した場合の処理手順を説明するためのフローチャートである。
当該検査機本体３０による処理の実行中（ステップＳ１１）、上記メイン制御部２１は、各検知センサＰからの出力に基づいて検査機本体３０内の紙葉類が正常に搬送されているか否かを監視している（ステップＳ１２）。例えば、上記メイン制御部２１は、各検知センサＰからの出力に基づいて各紙葉類の搬送時間が所定の時間内であるか否かを監視している。この場合、ある検知センサＰからの出力により紙葉類の搬送時間が長すぎると判定すると、上記メイン制御部２１は、搬送異常（ジャム）が発生したものと判断する（ステップＳ１２、ＹＥＳ）。このような処理中の搬送異常が発生したことを判断すると、上記メイン制御部２１は、当該検査機本体３０の動作を停止する（ステップＳ１３）。
【００３９】
当該検査機本体３０での処理中に発生した搬送異常により処理を停止すると、上記メイン制御部２１は、停止時の状態を示す情報を収集して停止情報（ジャム情報）を作成する（ステップＳ１４）。上記停止情報には、上述のように、例えば、停止コード、停止コードに対応したメッセージ番号、停止時の各部の状態などが含まれる。上記停止情報を作成すると、上記メイン制御部２１は、作成した停止情報を上記ＰＣ１２へを送信する（ステップＳ１５）。
【００４０】
上記メイン制御部２１から停止情報を受信すると（ステップＳ１６）、上記ＰＣ１２は、上記メイン制御部２１から受信した停止情報に基づいて停止した内容（ジャムの内容）を示すジャムレポートの印刷情報を作成する。このようなジャムレポートの印刷情報を作成すると、上記ＰＣ１２は、上記プリンタ１３によりジャムレポートを印刷出力する（ステップＳ１７）。この際、上記ＰＣ１２が、ディスプレイにジャムレポートを表示したり、ジャムレポートの内容を示すデータファイルを記憶部に記憶したり、ジャムレポートの内容を示すデータファイルを客先サーバ１に転送したりするようにしても良い。また、上記ＰＣ１２を介さずに、上記メイン制御部２１が上記停止情報に基づいて当該検査機本体３０のディスプレイパネル３８にジャムレポートを表示するようにしても良い。
【００４１】
上記プリンタ１３により印刷出力されたジャムレポートを取得したオペレータは、当該ジャムレポートを元に当該検査機本体３０内から持ち帰りジャムとしての紙葉類（再処理（投入部３５に再投入）すべき紙葉類）を取出す（ステップＳ１８）。当該検査機本体３０内から持ち帰りジャムとしての紙葉類を取出すと、オペレータは、当該ジャムレポートを元に実際に当該検査機本体３０内から取出した紙葉類の数とジャムレポートで示されている持ち帰りジャムとしての紙葉類の数とが一致しているか否かを確認する（ステップＳ１９）。
【００４２】
これにより、実際に検査機本体３０から取出した紙葉類の数とジャムレポートで示されている持ち帰りジャムとしての紙葉類の数とが一致していることを確認した場合、オペレータは、持ち帰りジャムとしての紙葉類を上記投入部３５へ投入する（ステップＳ２０）。上記投入部３５に持ち帰りジャムとしての紙葉類を投入すると、オペレータは、上記オペレーションパネル３９により処理の再開（再処理）を指示する。
【００４３】
このような処理再開の指示を受付けると、上記メイン制御部２１は、当該検査機本体３０による紙葉類に対する処理を再開し（ステップＳ２１）、上記ステップＳ１１へ戻る。これにより、再投入された紙葉類に対する再処理が実行される。
【００４４】
上記のように、検査機本体での紙葉類に対する処理中に搬送異常が発生した場合、検査機本体内の状態を示す停止情報に基づいてジャムレポートを作成し、そのジャムレポートを元に検査機本体内の再処理すべき紙葉類を確認して再投入された後に、上記検査機本体の処理を再開するようにしてものである。これにより、ジャムに対する処理を迅速かつ円滑に行うことができる。
【００４５】
また、検査機本体での紙葉類に対する処理中に搬送異常が発生した場合、検査機本体内の再処理すべき紙葉類（持ち帰りジャムとしての紙葉類）の数を示すジャムレポートを作成し、そのジャムレポートを元に検査機本体内の再処理すべき紙葉類の数を確認して再処理すべき紙葉類が再投入された後に、上記検査機本体の処理を再開するようにしてものである。これにより、再処理すべき紙葉類の数を正確に確認することができ処理の再開を迅速かつ円滑に行うことができる。
【００４６】
【発明の効果】
以上詳述したように、この発明によれば、搬送異常が発生した場合に装置内のどこに再処理すべき紙葉類が存在するかを容易に認識でき、搬送異常に対する再処理を迅速かつ円滑に行うことを可能とする紙葉類処理装置を提供できる。
【００４７】
また、この発明によれば、搬送異常が発生した場合に装置内の再処理すべき紙葉類の数を容易に認識でき、搬送異常に対する再処理のために再投入すべき紙葉類の数を正確に確認することができる紙葉類処理装置を提供できる。
【図面の簡単な説明】
【図１】この発明の実施の形態に係る紙葉類処理システムの概略構成を示す図。
【図２】検査機本体の構成を概略的に示す図。
【図３】ジャムレポートの例を示す図。
【図４】ジャム発生時における検査機の動作例を説明するためのフローチャート。
【符号の説明】
３（３ａ、…、３ｎ、…）…検査機（紙葉類処理装置）、１１…制御ユニット、１２…ＰＣ（報知手段）、１３…プリンタ（印字手段）、２１…メイン制御部（処理手段、再開手段、停止手段）、３５…投入部、３６…搬送路、３７…検査ユニット（検査手段）、Ａ１、Ａ２、Ｂ１、Ｂ２…集積装置、４１…施封処理部、４２…帯収納部、４３…収納部、Ａｕｄ…損券集積部、Ｒｅｊ…リジェクト部、ＳＤ…裁断処理部、Ｐ（Ｐ１１〜Ｐ１８、Ｐ２１〜Ｐ２４、Ｐ５１〜Ｐ５６、ＳＤ１Ａ、及びＳＤ１Ｂ）…検知センサ（検知手段）
【図１】
2005001837.tif 000003
【図２】
2005001837.tif 000004
【図３】
2005001837.tif 000005
【図４】
2005001837.tif 000006